(57)【要約】      （修正有）【課題】認証媒体を用いて所望の操作の少なくとも一部を行うことが可能な画像処理装置を提供する。【解決手段】カードリーダー１７は、認証情報が記憶又は表示されたＩＣカード２０を検知してＩＣカードから前記認証情報を読み取る。認証処理部１６１は、カードリーダーにより読み取られる前記認証情報に基づいてユーザー認証を行う。処理実行部１６２は、カードリーダーにより複数のＩＣカードが予め定められた検知パターンで検知された場合に、当該検知パターンに対応付けられた予め設定された処理を実行する。【選択図】図１
2018069611.tif 000002
【特許請求の範囲】
【請求項１】
認証情報が記憶又は表示された認証媒体を検知して当該認証媒体から前記認証情報を読み取る読取部と、
前記読取部により読み取られる前記認証情報に基づいてユーザー認証を行う認証処理部と、
前記読取部により複数の前記認証媒体が予め定められた検知パターンで検知された場合に、当該検知パターンに対応付けられた予め設定された処理を実行する処理実行部と、
を備える画像処理装置。
【請求項２】
前記処理実行部は、前記読取部により前記複数の認証媒体が予め定められた複数の検知パターンのうちのいずれかの検知パターンで検知された場合に、予め設定された複数の処理の中から当該検知パターンに対応する処理を選択して実行する、
請求項１に記載の画像処理装置。
【請求項３】
前記予め設定された処理が、前記読取部により読み取られる前記複数の認証媒体に記憶又は表示された前記認証情報に対応する複数のユーザーに関連する処理を含む、
請求項１又は請求項２に記載の画像処理装置。
【請求項４】
前記予め設定された処理が、前記画像処理装置において処理すべき未処理ジョブのうち、前記複数のユーザーのジョブを混合する処理を含む、
請求項３に記載の画像処理装置。
【請求項５】
前記予め設定された処理が、前記画像処理装置において処理すべき未処理ジョブのうち、前記複数のユーザーのジョブの順番を入れ替える処理を含む、
請求項３に記載の画像処理装置。
【請求項６】
前記予め設定された処理が、前記画像処理装置において処理すべき未処理ジョブのうち、前記複数のユーザーのジョブの優先順位を高くする処理を含む、
請求項３に記載の画像処理装置。
【請求項７】
前記検知パターンが、前記読取部により前記複数の認証媒体が予め定められた時間内に検知されるパターンである、
請求項１〜６のいずれかに記載の画像処理装置。
【請求項８】
前記検知パターンが、前記読取部により前記複数の認証媒体が予め定められた時間間隔を空けずに検知されるパターンである、
請求項１〜６のいずれかに記載の画像処理装置。
【発明の詳細な説明】
【技術分野】
【０００１】
本発明は、ＩＣカードのような認証媒体を用いてユーザー認証を行うことが可能な画像処理装置に関する。
【背景技術】
【０００２】
ユーザーＩＤなどの認証情報が記憶されたＩＣカードのような認証情報提供媒体（以下、単に「認証媒体」と称する）を用いてユーザー認証を行うことが可能な画像形成装置が知られている（例えば、特許文献１参照）。
【０００３】
前記画像形成装置では、前記認証媒体と通信することにより当該認証媒体を所持しているユーザーが画像形成装置の近くにいるか否かを判定し、前記ユーザーが画像形成装置の近くに居る場合にのみ当該ユーザーの印刷ジョブが実行される。これにより、守秘性の高い印刷物が他人の目に触れることを防止することができる。
【先行技術文献】
【特許文献】
【０００４】
【特許文献１】特開２００９−１１３３２０号公報
【発明の概要】
【発明が解決しようとする課題】
【０００５】
しかしながら、前記画像形成装置では、前記認証媒体は、当該認証媒体を所持しているユーザーが画像形成装置の近くにいるか否かを判定するために用いられるに過ぎない。よって、ユーザーは、画像形成装置に対して所望の操作を行いたい場合に、前記認証媒体によるユーザー認証が行われた後に、操作パネル等を通じて所望の操作を行う必要がある。
【０００６】
本発明の目的は、認証媒体を用いて所望の操作の少なくとも一部を行うことが可能な画像処理装置を提供することにある。
【課題を解決するための手段】
【０００７】
本発明の一の局面に係る画像処理装置は、読取部と、認証処理部と、処理実行部と、を備える。前記読取部は、認証情報が記憶又は表示された認証媒体を検知して当該認証媒体から前記認証情報を読み取る。前記認証処理部は、前記読取部により読み取られる前記認証情報に基づいてユーザー認証を行う。前記処理実行部は、前記読取部により前記複数の認証媒体が予め定められた検知パターンで検知された場合に、当該検知パターンに対応付けられた予め設定された処理を実行する。
【発明の効果】
【０００８】
本発明によれば、認証媒体を用いて所望の操作の少なくとも一部を行うことが可能な画像処理装置が提供される。
【図面の簡単な説明】
【０００９】
【図１】図１は、本発明の実施形態に係る画像処理装置のシステム構成を示すブロック図である。
【図２】図２は、本発明の実施形態に係る画像処理装置の外観を示す図である。
【図３】図３は、本発明の実施形態に係る画像処理装置で用いられるカード操作情報の一例を示す図である。
【図４】図４は、本発明の実施形態に係る画像処理装置で実行されるカード操作処理の手順の一例を示すフローチャートである。
【図５】図５は、本発明の実施形態に係る画像処理装置で検知される検知パターンの一例を示す図である。
【図６】図６は、本発明の実施形態に係る画像処理装置で検知される検知パターンの一例を示す図である。
【図７】図７は、本発明の実施形態に係る画像処理装置で検知される検知パターンの一例を示す図である。
【図８】図８は、本発明の実施形態に係る画像処理装置で用いられるジョブキューの一例を示す図である。
【図９】図９は、本発明の実施形態に係る画像処理装置で用いられるジョブキューの一例を示す図である。
【図１０】図１０は、本発明の実施形態に係る画像処理装置で実行されるジョブの混合処理の一例を示す図である。
【図１１】図１１は、本発明の実施形態に係る画像処理装置で用いられるジョブキューの一例を示す図である。
【図１２】図１２は、本発明の実施形態に係る画像処理装置で用いられるジョブキューの一例を示す図である。
【図１３】図１３は、本発明の実施形態に係る画像処理装置で検知される検知パターンの一例を示す図である。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置の構成］
図１及び図２に示されるように、本発明の実施形態に係る画像処理装置１は、操作表示部１０、ＡＤＦ（Auto Document Feeder）１１、画像読取部１２、画像形成部１３、通信Ｉ／Ｆ１４、記憶部１５、制御部１６、及びカードリーダー１７（本発明の「読取部」の一例）などを備える。具体的に、画像処理装置１は、プリンター機能、スキャナー機能、コピー機能、及びファクシミリ機能などを有する複合機である。なお、本発明は、複合機に限らず、コピー機、プリンター、ファクシミリ装置のような任意の画像処理装置に適用可能である。
【００１２】
操作表示部１０は、情報を表示する液晶ディスプレーなどの表示部と、ユーザー操作を受け付けるタッチパネル及び操作ボタンなどの操作部とを備える。
【００１３】
ＡＤＦ１１は、原稿セット部、搬送ローラー、原稿押さえ、及び排紙部を備え、画像読取部１２の読み取り対象となる原稿を搬送する自動原稿搬送装置である。
【００１４】
画像読取部１２は、原稿台、光源、ミラー、光学レンズ、及びＣＣＤ（Charge Coupled Device）を備え、原稿の画像を読み取って画像データとして出力することが可能である。
【００１５】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１６】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１７】
記憶部１５は、ハードディスク又はＥＥＰＲＯＭ（登録商標）などの不揮発性の記憶部である。記憶部１５には、制御部１６によって実行される各種の制御プログラム、及び各種のデータなどが記憶される。
【００１８】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１９】
具体的に、制御部１６は、認証処理部１６１、処理実行部１６２、ジョブ管理部１６３、及び表示制御部１６４を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２０】
カードリーダー１７は、ＮＦＣ（Near Field Communication）のような非接触通信によって、ユーザーが保有するＩＣカード２０（本発明の「認証媒体」の一例）からユーザーＩＤのような認証情報を読み取ることが可能である。図２に示されるように、カードリーダー１７は、画像処理装置１の上部に設けられたカード載置台１８に内蔵されている。ユーザーが、カード載置台１８に接触又は接近させるようにＩＣカード２０をかざすと、カードリーダー１７は、当該ＩＣカード２０を検知して、当該ＩＣカード２０に記憶されている前記認証情報を読み取る。
【００２１】
認証処理部１６１は、カードリーダー１７により読み取られる前記認証情報に基づいてユーザー認証を行う。ユーザーは、自分の保有するＩＣカード２０をカードリーダー１７（カード載置台１８）にかざすことにより、画像処理装置１にログインして、画像処理装置１の使用を開始することができる。
【００２２】
なお、ＩＣカード２０は、非接触型に限らず、接触型であってもよい。また、ＩＣカード２０に記憶されている前記認証情報をカードリーダー１７で読み取る構成の代わりに、例えば、カード上にバーコードとして表示された前記認証情報をバーコードリーダー（本発明の「読取部」の他の一例）で読み取る構成を採用してもよい。
【００２３】
ところで、ＩＣカード２０は、一般的には、上記のようにユーザー認証を行うために用いられる。よって、一般的には、ユーザーは、画像処理装置１に対して所望の操作を行いたい場合に、ＩＣカード２０によるユーザー認証が行われた後に、操作表示部１０を通じて所望の操作を行う必要がある。これに対して、本実施形態に係る画像処理装置１では、以下で説明するような構成及び動作により、ＩＣカード２０を用いて所望の操作の少なくとも一部を行うことが可能である。
【００２４】
具体的に、本実施形態では、図２に示されるように、複数のＩＣカード２０（例えば、２枚のＩＣカード２０Ａ，２０Ｂ）がカードリーダー１７に所定のパターンでかざされたことが検知されると、検知されたパターンに応じた処理が実行される。以下では、図２に示されるように、ＩＣカード２０Ａの所有者であるユーザーＡが、ＩＣカード２０Ｂの所有者であるユーザーＢからＩＣカード２０Ｂを借りて、当該２枚のＩＣカード２０ａ，２０ｂをカードリーダー１７にかざす場合について説明する。
【００２５】
処理実行部１６２は、カードリーダー１７により複数のＩＣカード２０が予め定められた検知パターンで検知された場合に、当該検知パターンに対応付けられた予め設定された処理を実行する。具体的には、処理実行部１６２は、カードリーダー１７により複数のＩＣカード２０が予め定められた複数の検知パターンのうちのいずれかの検知パターンで検知された場合に、予め設定された複数の処理の中から当該検知パターンに対応する処理を選択して実行する。例えば、処理実行部１６２は、図３に示されるようなカード操作情報３０に基づいて、前記検知パターンに対応付けられた処理を実行する。カード操作情報３０は、例えば、前記ＲＯＭ又は記憶部１５に予め記憶されている。なお、処理実行部１６２は、ＩＣカード２０から読み取られる前記認証情報に基づいてＩＣカード２０を識別することができる。
【００２６】
前記検知パターンに応じて処理実行部１６２により実行される処理は、例えば、カードリーダー１７により読み取られる複数のＩＣカード２０に記憶又は表示された前記認証情報に対応する複数のユーザーに関連する処理であってもよい。例えば、前記検知パターンに応じて処理実行部１６２により実行される処理が、画像処理装置１において処理すべき未処理ジョブのうち、前記複数のユーザーのジョブを混合する処理を含んでいてもよい。もしくは、前記検知パターンに応じて処理実行部１６２により実行される処理が、画像処理装置１において処理すべき未処理ジョブのうち、前記複数のユーザーのジョブの順番を入れ替える処理を含んでいてもよい。さらには、前記検知パターンに応じて処理実行部１６２により実行される処理が、画像処理装置１において処理すべき未処理ジョブのうち、前記複数のユーザーのジョブの優先順位を高くする処理を含んでいてもよい。
【００２７】
ジョブ管理部１６３は、画像処理装置１において処理すべき未処理ジョブを管理する。ジョブ管理部１６３は、例えば、図８に示されるようなジョブキュー４０によって、画像処理装置１において処理すべき未処理ジョブの優先順位を管理する。ジョブキュー４０は、例えば、記憶部１５に記憶される。画像処理装置１に新たなジョブが入力されると、当該ジョブがジョブキュー４０に追加される。ジョブキュー４０に記憶されている未処理ジョブは、優先順位に応じた順番で順次実行される。なお、他の実施形態では、ジョブ管理部１６３が、画像処理装置１と通信可能なサーバー装置に設けられていてもよい。この場合、画像処理装置１は、前記サーバー装置に記憶されているジョブキュー４０内の未処理ジョブを、優先順位に応じた順番で当該サーバー装置から順次取得して実行してもよい。
【００２８】
表示制御部１６４は、操作表示部１０に種々の情報を表示したり、画像処理装置１を操作するための操作画面などを表示したりする。
【００２９】
［カード操作処理］
次に、図４を参照しつつ、制御部１６によって実行されるカード操作処理の手順の一例について説明する。ここで、ステップＳ１，Ｓ２，・・・は、制御部１６により実行される処理手順（ステップ）の番号を表している。なお、前記カード操作処理は、例えば、画像処理装置１の電源がオンされたことに応じて開始され、その後、画像処理装置１の電源がオフされたことに応じて終了される。
【００３０】
＜ステップＳ１＞
まず、ステップＳ１において、制御部１６は、カードリーダー１７からの信号に基づいて、カードリーダー１７によってＩＣカード２０が検知されたか否かを判断する。そして、ＩＣカード２０が検知されたと判断されると（Ｓ１：Ｙｅｓ）、処理がステップＳ２に移行する。一方、ＩＣカード２０が検知されていないと判断されると（Ｓ１：Ｎｏ）、ＩＣカード２０が検知されたと判断されるまで、ステップＳ１の処理が繰り返される。
【００３１】
＜ステップＳ２＞
ステップＳ２において、制御部１６は、ステップＳ１でＩＣカード２０が検知されたと判断されてから一定時間Ｐ１（本発明の「予め定められた時間」の一例）が経過したか否かを判断する。そして、一定時間Ｐ１が経過したと判断されると（Ｓ２：Ｙｅｓ）、処理がステップＳ３に移行する。一方、一定時間Ｐ１が経過していないと判断されると（Ｓ２：Ｎｏ）、一定時間Ｐ１が経過したと判断されるまで、ステップＳ２の処理が繰り返される。
【００３２】
＜ステップＳ３＞
ステップＳ３において、制御部１６は、前記ステップＳ１でＩＣカード２０が検知されてから前記ステップＳ２で一定時間Ｐ１が経過したと判断されるまでの期間のカードリーダー１７からの信号に基づいて、ＩＣカード２０の検知パターンを判定する。例えば、制御部１６は、図３に示されるカード操作情報３０に含まれている複数の検知パターンのうちのいずれの検知パターンでＩＣカード２０が検知されたかを判定する。このとき、制御部１６は、カードリーダー１７によりＩＣカード２０から読み取られる認証情報に基づいてＩＣカード２０を識別する。
【００３３】
図５〜図７は、カードリーダー１７からの信号の一例を示している。カードリーダー１７によってＩＣカード２０が検知されていない間は、カードリーダー１７からの信号はＬレベルとなり、カードリーダー１７によってＩＣカード２０が検知されている間は、カードリーダー１７からの信号はＨレベルとなる。図５〜図７に示される「Ａ」は、カードリーダー１７によってＩＣカード２０Ａが検知されたことを示しており、図５〜図７に示される「Ｂ」は、カードリーダー１７によってＩＣカード２０Ｂが検知されたことを示している。
【００３４】
図５〜図７において、時刻Ｔｓは、前記ステップＳ１でＩＣカード２０が検知されたタイミングを示しており、時刻Ｔｅは、前記ステップＳ２で一定時間Ｐ１が経過したと判断されるタイミングを示している。図５は、時刻Ｔｓから一定時間Ｐ１以内に２つのＩＣカード２０Ａ，２０Ｂが、ＩＣカード２０Ａ→ＩＣカード２０Ａ→ＩＣカード２０Ｂの順番で検知された場合のカードリーダー１７からの信号を示している。これは、一定時間Ｐ１の間にカードリーダー１７に２つのＩＣカード２０Ａ，２０Ｂが、ＩＣカード２０Ａ→ＩＣカード２０Ａ→ＩＣカード２０Ｂの順番でかざされたことを意味している。図６は、時刻Ｔｓから一定時間Ｐ１以内に２つのＩＣカード２０Ａ，２０Ｂが、ＩＣカード２０Ａ→ＩＣカード２０Ｂ→ＩＣカード２０Ｂの順番で検知された場合のカードリーダー１７からの信号を示している。これは、一定時間Ｐ１の間にカードリーダー１７に２つのＩＣカード２０Ａ，２０Ｂが、ＩＣカード２０Ａ→ＩＣカード２０Ｂ→ＩＣカード２０Ｂの順番でかざされたことを意味している。図７は、時刻Ｔｓから一定時間Ｐ１以内に２つのＩＣカード２０Ａ，２０Ｂが、ＩＣカード２０Ａ→ＩＣカード２０Ａ→ＩＣカード２０Ｂ→ＩＣカード２０Ｂの順番で検知された場合のカードリーダー１７からの信号を示している。これは、一定時間Ｐ１の間にカードリーダー１７に２つのＩＣカード２０Ａ，２０Ｂが、ＩＣカード２０Ａ→ＩＣカード２０Ａ→ＩＣカード２０Ｂ→ＩＣカード２０Ｂの順番でかざされたことを意味している。
【００３５】
＜ステップＳ４＞
ステップＳ４において、制御部１６は、前記ステップＳ１でＩＣカード２０が検知されてから前記ステップＳ２で一定時間Ｐ１が経過したと判断されるまでの期間に複数のＩＣカード２０が所定のパターンで検知されたか否かを判断する。そして、複数のＩＣカード２０が所定のパターンで検知されたと判断されると（Ｓ４：Ｙｅｓ）、処理がステップＳ５に移行する。一方、複数のＩＣカード２０が所定のパターンで検知されなかったと判断されると（Ｓ４：Ｎｏ）、処理がステップＳ６に移行する。
【００３６】
＜ステップＳ５＞
ステップＳ５において、制御部１６は、例えば図３に示されるカード操作情報３０に基づいて、ステップＳ３で判定された検知パターンに対応する処理を実行する。なお、図３に示される検知パターンにおいて、「第１カード」は１番目に検知された任意のＩＣカード２０を示しており、「第２カード」は２番目に検知された任意のＩＣカード２０を示している。
【００３７】
例えば、カードリーダー１７から図５に示される信号が出力された場合には、制御部１６は、カードリーダー１７にかざされた２つのＩＣカード２０Ａ，２０Ｂに対応するユーザーＡ及びユーザーＢのジョブを混合する。例えば、制御部１６は、図８に示されるジョブキュー４０に含まれているユーザーＡのジョブＡとユーザーＢのジョブＢとを混合して、図９に示されるように、ジョブＡＢを生成する。
【００３８】
図１０は、前記ジョブＡ及び前記ジョブＢとを混合してジョブＡＢを生成する混合処理の一例を示している。図１０において、ジョブＡは、ユーザーＡが作成した全２ページの文書（以下、「文書Ａ」と称す）を５部印刷するジョブである。また、ジョブＢは、ユーザーＢが作成した全２ページの文書（以下、「文書Ｂ」と称す）を５部印刷するジョブである。これらのジョブＡ及びジョブＢを混合することによって生成されるジョブＡＢは、前記文書Ａの後に前記文書Ｂが追加された全４ページの文書（以下、「文書ＡＢ」と称す）を５部印刷するジョブである。例えば、前記文書Ａ及び前記文書Ｂが異なるホスト端末（例えば、ユーザーＡが利用するホスト端末及びユーザーＢが利用するホスト端末）で作成された場合、前記文書ＡＢを５部印刷するためには、通常は、一方のホスト端末から他方のホスト端末に文書データを送信して、予め１つの文書にまとめた上で画像形成装置１に送信する必要がある。しかしながら、本実施形態では、前記２つのホスト端末から画像形成装置１に対して文書Ａ及び文書Ｂを個別に送信した後に、ユーザーＡのＩＣカード２０ＡとユーザーＢのＩＣカード２０Ｂとをカードリーダー１７に所定のパターンでかざすことで前記文書ＡＢを印刷することができる。よって、例えば、複数のユーザーが別々に作成した複数の文書を、プレゼンテーションの資料として多数の参加者に配布したい場合に、簡単なカード操作により、これらの文書を参加者ごとに１部にまとめて印刷することが可能である。
【００３９】
なお、前記ジョブＡの印刷部数と前記ジョブＢの印刷部数とが異なる場合には、例えば、多い方の印刷部数と等しくなるように前記ジョブＡＢの印刷部数が設定されてもよい。もしくは、最初に検知されたＩＣカード２０Ａに対応するジョブ（ここでは、前記ジョブＡ）の印刷部数と等しくなるように前記ジョブＡＢの印刷部数が設定されてもよい。もしくは、前記ジョブＡＢの印刷部数の入力を受け付ける画面を操作表示部１０に表示して、ユーザー入力に基づいて前記ジョブＡＢの印刷部数を設定してもよい。
【００４０】
なお、時刻Ｔｓから一定時間Ｐ１以内に２つのＩＣカード２０Ａ，２０Ｂが、ＩＣカード２０Ｂ→ＩＣカード２０Ｂ→ＩＣカード２０Ａの順番で検知された場合には、ＩＣカード２０Ｂに対応するジョブＢと、ＩＣカード２０Ａに対応するジョブＡとが混合されて、前記文書Ｂの後に前記文書Ａが追加された全４ページの文書（以下、「文書ＢＡ」と称す）を５部印刷するジョブが生成されてもよい。すなわち、制御部１６は、複数のＩＣカード２０が検知された順番に応じて処理内容を変更してもよい。
【００４１】
また、例えば、カードリーダー１７から図６に示される信号が出力された場合には、制御部１６は、カードリーダー１７にかざされた２つのＩＣカード２０Ａ，２０Ｂに対応するユーザーＡ及びユーザーＢのジョブの順番を入れ替える。具体的には、制御部１６は、図８に示されるジョブキュー４０に含まれているジョブＡの順番とジョブＢの順番とを入れ替える。その結果、図１１に示されるジョブキュー４０のように、ジョブＡの優先順位が２番目から４番目に変わり、ジョブＢの優先順位が４番目から２番目に変わる。
【００４２】
また、例えば、カードリーダー１７から図７に示される信号が出力された場合には、制御部１６は、カードリーダー１７にかざされた２つのＩＣカード２０Ａ，２０Ｂに対応するユーザーＡ及びユーザーＢのジョブを優先させる。具体的には、制御部１６は、図８に示されるジョブキュー４０に含まれているジョブＡ及びジョブＢの優先順位を、図１２に示されるように、他のユーザーのジョブ（すなわち、ジョブＸ、ジョブＹ、及びジョブＺ）の優先順位よりも高くする。
【００４３】
ステップＳ５の処理が終わると、処理が前記ステップＳ１に戻る。なお、他の実施形態では、ステップＳ５の処理が終わった後に、処理がステップＳ６に移行してもよい。
【００４４】
＜ステップＳ６＞
ステップＳ６において、制御部１６は、カードリーダー１７からの信号に基づいて、カード載置台１８にＩＣカード２０が置かれているか否かを判断する。そして、カード載置台１８にＩＣカード２０が置かれていると判断されると（Ｓ６：Ｙｅｓ）、処理がステップＳ７に移行する。一方、カード載置台１８にＩＣカード２０が置かれていないと判断されると、処理が前記ステップＳ１に戻る。
【００４５】
＜ステップＳ７＞
ステップＳ７において、制御部１６は、カードリーダー１７によりＩＣカード２０から読み取られる認証情報に基づいてユーザー認証を行い、ログイン処理を行う。
【００４６】
＜ステップＳ８＞
ステップＳ８において、制御部１６は、カードリーダー１７からの信号に基づいて、カード載置台１８にＩＣカード２０が置かれているか否かを判断する。そして、カード載置台１８にＩＣカード２０が置かれていないと判断されると（Ｓ８：Ｎｏ）、処理がステップＳ９に移行する。一方、カード載置台１８にＩＣカード２０が置かれていると判断されると（Ｓ８：Ｙｅｓ）、カード載置台１８にＩＣカード２０が置かれていないと判断されるまで、ステップＳ８の処理が繰り返される。
【００４７】
＜ステップＳ９＞
ステップＳ９において、制御部１６は、ログインしていたユーザーに関するログアウト処理を実行する。そして、処理が前記ステップＳ１に戻る。
【００４８】
なお、前記ステップＳ６〜Ｓ９の処理は、制御部１６の認証処理部１６１によって実行される。また、前記ステップＳ１〜Ｓ５の処理は、制御部１６の処理実行部１６２によって実行される。
【００４９】
以上のように、本実施形態に係る画像処理装置１では、カードリーダー１７に複数のＩＣカード２０が所定のパターンで検知された場合に、当該検知パターンに応じた予め定められた処理が実行される。よって、本実施形態によれば、ユーザーは、複数のＩＣカード２０をカードリーダー１７に所定のパターンでかざすことにより、所定の操作を行うことが可能である。
【００５０】
［変形例］
なお、上記実施形態では、複数のＩＣカード２０の検知パターンに応じてジョブが混合される、もしくはジョブが入れ替えられる、もしくはジョブの優先順位が変更されるが、本発明はこれに限定されない。他の実施形態では、複数のＩＣカード２０の検知パターンに応じて任意の処理が実行されてもよい。
【００５１】
また、上記実施形態では、カードリーダー１７により複数のＩＣカード２０が一定時間Ｐ１以内に検知された検知パターンに応じて、当該検知パターンに対応する処理が実行されるが、本発明はこれに限定されない。例えば、他の実施形態では、カードリーダー１７によりＩＣカード２０が一定時間Ｐ２（本発明の「予め定められた時間間隔」の一例）を空けずに検知された検知パターンに応じて、当該検知パターンに対応する処理が実行されてもよい。図１３は、カードリーダー１７により２つのＩＣカード２０Ａ，２０Ｂが一定時間Ｐ２を空けずに、ＩＣカード２０Ａ→ＩＣカード２０Ａ→ＩＣカード２０Ｂの順番で検知されたときのカードリーダー１７の信号を示している。図１３に示される例では、ＩＣカード２０Ａの１回目の検知タイミング（時刻Ｔｓ）から一定時間Ｐ２が経過するよりも前に、ＩＣカード２０Ａが再び検知されている。また、ＩＣカード２０Ａの２回目の検知タイミングから一定時間Ｐ２が経過するよりも前に、ＩＣカード２０Ｂが検知されている。一方、ＩＣカード２０Ｂが検知された後は、いずれのＩＣカード２０も検知されないまま、一定時間Ｐ２が経過している。この場合、制御部１６は、時刻Ｔｅの時点（すなわち、ＩＣカード２０が最後に検知されてから一定時間Ｐ２が経過した時点）で検知パターンを判定することができる。
【符号の説明】
【００５２】
１  画像処理装置
１５  記憶部
１６  制御部
１７  カードリーダー
１８  カード載置台
２０，２０Ａ，２０Ｂ  ＩＣカード
３０  カード操作情報
４０  ジョブキュー
１６１  認証処理部
１６２  処理実行部
１６３  ジョブ管理部
１６４  表示制御部
【図１】
2018069611.tif 000003
【図２】
2018069611.tif 000004
【図３】
2018069611.tif 000005
【図４】
2018069611.tif 000006
【図５】
2018069611.tif 000007
【図６】
2018069611.tif 000008
【図７】
2018069611.tif 000009
【図８】
2018069611.tif 000010
【図９】
2018069611.tif 000011
【図１０】
2018069611.tif 000012
【図１１】
2018069611.tif 000013
【図１２】
2018069611.tif 000014
【図１３】
2018069611.tif 000015